(57)【特許請求の範囲】
【請求項１】
固化されたイカの内蔵からなる餌材と芯材とからなり、上記餌材を芯材に対し対称的に配設し、該餌材間に芯材を挟着することを特徴とする人工餌。
【請求項２】
請求項１記載の人工餌において、芯材が単一であることを特徴とする人工餌。
【請求項３】
請求項１記載の人工餌において、芯材が複数であることを特徴とする人工餌。
【請求項４】
請求項２又は３記載の人工餌において、芯材が織布からなることを特徴とする人工餌。
【請求項５】
請求項２又は３記載の人工餌において、芯材が不織布からなることを特徴とする人工餌。
【請求項６】
請求項２又は３記載の人工餌において、芯材が紙類からなることを特徴とする人工餌。
【請求項７】
請求項２又は３記載の人工餌において、芯材に多数の通孔を設けたことを特徴とする人工餌。
【請求項８】
請求項２乃至７いずれか一記載の人工餌において、厚さ／長さの比が少なくとも１／１５乃至１／２５であることを特徴とする人工餌。
【発明の詳細な説明】
【０００１】
【発明の属する技術分野】
本願発明は、人工餌に関し、とくに一般に「イカゴロ」と呼ばれるイカの内蔵を主成分とする人工餌に関する。
【０００２】
【従来の技術】
人工餌は各種の原料を配合したものであり、従来は主に集魚用の餌（撒餌）として使用され、食付用の餌としてはあまり使用されていなかった。
これは、釣場で配合餌を練り合わせたり釣り針に着けるための団子を作ったりの準備作業が必要なため面倒であるからであり、また人工餌は釣り針から脱落し易く遠投ができない等の理由からである。
【０００３】
そこで、遠投を可能にするため、プラスチック製の円筒容器を使用して餌を容器内に封入後投げ飛ばす方法がとられることもあるが、容器の空気抵抗が大きくあまり遠くに投げることができず、かつ容器が脱落することも多いため、自然環境の汚染・破壊を惹起する欠点がある。
【０００４】
一方、 いかの加工工程から排出される残渣、なかでもイカゴロ（内蔵）は、厄介ものの代表例にあげられている。従来、イカゴロは塩辛や液晶抽出などでその一部が利用されるにとまっており、大半はコストを費やして廃棄されている。しかし、このイカゴロには、有用有価物質が多く含まれているし、海中投棄すると著しい集魚効果がみられるなどの特性を有している。
【０００５】
【発明が解決しようとする課題】
そこで、このイカゴロを上手に利用して人工餌を作製することが考えられるが、イカゴロは液体であるためこれを固化しなければ取り扱えない。イカゴロの固化に当たって強力な凝固剤を使ったりまたその添加量を多くすると、人工餌としての強度は大となるが、これに反比例して人工餌に含まれる集魚成分の水中での溶解度が低下する。このため釣果を著しく減じ使いものにならない。
本願発明は上記背景に鑑み、釣果を損なうことのない人工餌を供することを目的とする。
【０００６】
【課題を解決するための手段】
上記目的達成のため、本発明による人工餌は、固化されたイカの内蔵からなる餌材と芯材とからなり、上記餌材を芯材に対し対称的に配設し、該餌材間に芯材を挟着することを特徴とする。
その際、芯材が単一又は複数であることが考えられる。
また、芯材が織布、不織布又は紙類からなることが考えられる。
また、芯材に多数の通孔を設けることが考えられる。
また、厚さ／長さの比が少なくとも１／１５乃至１／２５であることが考えられる。
さらに、これらの組み合わせも考えられる。
【０００７】
【発明の実施の形態】
次に、実施の形態を示す図面に基づき本発明による人工餌をさらに詳しく説明する。
【０００８】
人工餌１はイカの内蔵を主成分とする餌材３と芯材５とからなり、餌材３、３を芯材５に対し対称的に配設し、餌材３、３間に芯材５をサンドイッチ状に挟着する。イカゴロには、ゼラチン、寒天、カゼインソーダ、デキストリン等適宜の凝固剤を混合して加熱処理し、次いで常温まで冷却して固化する。この固化の際に、餌材３、３間に芯材５をサンドイッチ状に挟着し、適宜の型により、棒状、板状、球状等種々の形状に加工する。芯材５としては、木綿、絹等からなる織布、適宜素材の不織布、和紙等の紙類といった天然素材を用いる。
【０００９】
人工餌１は、図４及び図５に示すような状態で使用される。即ち、図４には底立縄漁法を示す。海面７に浮かんだ浮き９と海中の浮玉１０の間に瀬縄１１が接続され、瀬縄１１と瀬縄１１の間に横ロープ１３が渡されている。瀬縄１１は例えば直径１２ｍｍのロープを用い、通常水深の約１．５倍の長さにしてある。また横ロープ１３は例えば直径１０ｍｍのロープを用い、通常数キロメートルに亘って架設する。この横ロープ１３に図５に示すような下り（さがり）と呼ばれる幹糸１５を数十本垂下する。即ち、幹糸１５は、ブランチハンガー１７により横ロープ１３に連結され、適所に取りつけた猿環１９に枝糸２１を連結する。枝糸２１の先端に連結した針２３に人工餌１を取り付けるのである。２５は小沈子である。幹糸１５には通常１５本乃至２０本の枝糸２１を取り付ける。幹糸１５と幹糸１５の間隔は決まっていないが、伊豆近海の場合１１ｍ乃至２０ｍ位が一般的である。
【００１０】
図４において、２７はアンカーロープ、２９はアンカー、３１は大沈子、３３は中沈子である。通常大沈子３１は約３０ｋｇ、中沈子３３は約１５ｋｇ乃至２０ｋｇ、小沈子２５は約９００ｇ乃至約１５００ｇの錘りを用いる。中沈子３３は通常４００ｍ毎に１個設けている。
【００１１】
釣餌は水中で揺らしたときにヒラヒラと波状に運動しなければ十分な釣果を得ることができない。人工餌１の場合、イカゴロという液状物を固化してあるため、この波動度Ｔと耐久度Ｐが逆行する関係にある。人工餌１の波動度Ｔと耐久度Ｐとは主として人工餌１の厚さに依存する。
【００１２】
そこで人工餌１の厚さＭを３ｍｍ乃至８ｍｍに設定し、これに対する最適長さを決定するため、図６及び図７に示すような方法で実験してみた。人工餌１の幅Ｗは２０ｍｍとした。即ち、流速０．５ｍ／秒の水槽の中で人工餌１の一端を把持したホルダ３５を毎秒１回のサイクルで左右に連続的に１０分間揺動し、その波動度Ｔと耐久度Ｐについて目視検査し評価した。結果を表１に示す。
【００１３】
【表１】
0003716877.tif 000002
【００１４】
表１において、Ｔは波動度、Ｐは耐久度を示す。波動度Ｔの◎は良くヒラヒラと波動する、○はヒラヒラと波動する、△はヒラヒラと波動するとはいえない、×はほとんど揺れない状態を示す。耐久度Ｐの◎はまったく変化なし、○は少し先端が分離するが実用上問題なし、×は分離が著しくちぎれた状態を示す。
【００１５】
各ケースについては波動度Ｔと耐久度Ｐとが夫々◎と○以上の場合を可とし、それ以外を不可と評価し、最適長さを決定した。例えば厚さ３ｍｍの人工餌１の場合、最適長さは厚さの１５倍乃至３０倍である。このようにして厚さに対する最適長さの比を求めたものが第４欄の値である。表１第４欄より、人工餌１の厚さ／長さは少なくとも１／１５乃至１／２５とするのがよいことが判る。即ち、下限である１／１５より人工餌１の長さを小とすると、波動度Ｔが悪化し良くヒラヒラせず釣果が低下する。また上限である１／２５より人工餌１の長さを大とすると、波動度Ｔは十分であるが耐久度Ｐが悪化し、十分な釣果を得ることができないのである。
【００１６】
なお、人工餌１の幅Ｗは上記波動度Ｔと耐久度Ｐには殆ど影響しないので、任意に決定することができる。人工餌１の幅Ｗは、通常、１０ｍｍ乃至２０ｍｍ位とされる。
【００１７】
人工餌１は、上記の如く波動度Ｔ及び耐久度Ｐが釣果上一定の範囲にある芯材５を餌材３によりサンドイッチ状に挟着し対称的に配設してある。これは、次の理由による。即ち、図４及び図５に示すように、人工餌１は芯材５を針２３に係止することにより取り付けられるが、この取付けは船上作業となるため前後左右に揺動しているところで行うことになる。しかも時機を逸しないよう迅速にしなければ釣果が低下する。このような場合餌に極性があると作業が著しく困難となるが、本願発明による人工餌１は対称性となっているので、餌付作業が容易かつ迅速に行えるのである。また海中に投与された人工餌１は、潮流に流されたり魚につつかれたりして前後左右に絶えず動いている。したがって一定の耐久性がなければ瓦解してしまうのであるが、人工餌１は芯材５に対し餌材３が対称的に配設されているので、各部の応力が比較的等しくなり釣果を損なうことがない。
【００１８】
このように実施の形態による人工餌によれば、釣り時に餌に加わる外力の大半を波動度Ｔ及び耐久度Ｐから割り出した厚さ／長さを有する芯材５にて受けるため、凝固剤の添加率を可及的に小とし、かつ集魚成分の水中での溶解度を大とすることが可能となる。したがって釣果を損なうことがない。
【００１９】
また、餌材３及び芯材５とも天然素材を用いているため、海中に投与されても、自然環境の汚染・破壊を惹起せしめることがない。
【００２０】
本願発明による人工餌は上記した実施の形態に限定されない。例えば図８に示すように芯材５ａに多数の通孔６を設けてもよい。このようにすれば、餌材３、３との挟着に際し通孔６を介して餌材３、３が連結されるから、人工餌１の耐久性が一層増加する。
【００２１】
また、芯材の形状は任意であり、例えば図９に示すように芯材５ｂを非対称性に形成することもできる。
【００２２】
また、図１０に示すように、芯材５の上下端を露出させず餌材３に埋没させてもよい。
【００２３】
また、図１１及び図１２に示すように芯材５を複数としてもよい。
【００２４】
また、芯材５は図１３に示すように断面刻々状に屈曲されてもよい。
【００２５】
また、本願発明による人工餌は、一般大衆のレジャー用から、延縄漁のように一度に数千個から数万個の釣餌を用いるような業務用まで広く利用することができる。
【００２６】
【発明の効果】
このように、本発明にかかる人工餌によれば、従来厄介もの扱いされてきたイカゴロを用いて釣果を損なうことのない人工餌を供することができる。
【図面の簡単な説明】
【図１】本願発明による人工餌の一実施の形態を示す斜視図である。
【図２】図１の側面図である。
【図３】図１の正面図である。
【図４】本願発明による人工餌の使用例を示す図である。
【図５】図４Ａ部の拡大図である。
【図６】本願発明に関する実験について説明するための図である。
【図７】本願発明に関する実験について説明するための図である。
【図８】本願発明にかかる芯材の他の実施の形態を示す側面図である。
【図９】本願発明にかかる芯材の他の実施の形態を示す側面図である。
【図１０】本願発明による人工餌の他の実施の形態を示す正面図である。
【図１１】本願発明による人工餌の他の実施の形態を示す正面図である。
【図１２】本願発明による人工餌のさらに他の実施の形態を示す正面図である。
【図１３】本願発明による人工餌のさらに他の実施の形態を示す正面図である。
【符号の説明】
１    人工餌
３    餌材
５    芯材
６    通孔
７    海面
９    浮き
１０  浮玉
１１  瀬縄
１３  横ロープ
１５  幹糸
１７  ブランチハンガー
１９  猿環
２１  枝糸
２３  針
２５  小沈子
２７  アンカーロープ
２９  アンカー
３１  大沈子
３３  中沈子
３５  ホルダ
【図１】
0003716877.tif 000003
【図２】
0003716877.tif 000004
【図３】
0003716877.tif 000005
【図４】
0003716877.tif 000006
【図５】
0003716877.tif 000007
【図６】
0003716877.tif 000008
【図７】
0003716877.tif 000009
【図８】
0003716877.tif 000010
【図９】
0003716877.tif 000011
【図１０】
0003716877.tif 000012
【図１１】
0003716877.tif 000013
【図１２】
0003716877.tif 000014
【図１３】
0003716877.tif 000015